(57)【特許請求の範囲】
【請求項１】
第１および第２ディスペンサー・ユニット（２、３）を有するディスペンサ・ベースを有し、第１ディスペンサー・ユニット（２）が第１ベース本体（４）を有し、第２ディスペンサー・ユニット（３）が第２ベース本体（５）を有し、この第２ディスペンサー・ユニット（２）が本質的に固い硬質部（７）を有しており；
第２ディスペンサー・ユニット（３）を、休止位置と、ストローク・パスとストローク方向を定める作動ストロークに渡って第１ディスペンサー・ユニット（２）に対して偏位させる放出作動装置を有し；
圧力室（１２）と出口ダクト（１４）と媒体出口（１５）を有する媒体スペースを有し、この媒体スペースが、媒体のための流れ方向とこの流れ方向と逆を向いた逆方向を定めており；
媒体の計測された放出量を確実に変えるための制御手段（１０）を有し、制御手段（１０）が設定手段（４３）を有し、この設定手段（４３）が圧力室（１２）の体積を調節するように移動可能である、媒体を放出するためのディスペンサー。
【請求項２】
制御手段（１０）がストローク・パスを可変に制限する停止手段を有し、停止手段がストローク停止部（４７）を備えた第１停止部材（６３）と、ストローク停止部（４７）の下流に配備されたカウンタ停止部（４８）を備えた第２停止部材（４４）とを有し、カウンタ停止部（４８）が前記逆方向から離れる方向に硬質部（７）に挿入され、特に設定手段が、制御手段がストローク・パスを確実に変えるための第１および第２設定部材（４２、４３）を有しており、第１設定部材（４２）が第２設定部材（４３）に直接的かつ偏位可能に係合し、交点において設定手段が第２ディスペンサー・ユニット（３）に実質上全体的に配備され、第１および第２設定部材（４２、４３）が実質上完全に収容されている請求項１に記載のディスペンサー。
【請求項３】
第１設定部材（４２）が第２ディスペンサー・ユニット（３）の硬質部（７）内に支持されていて、第２設定部材（４３）がカウンタ停止部（４８）を有していて交点の軸方向近傍で第２ベース本体（５）上で中央付けされており、第２設定部材（４３）が硬質部（７）の内部に延在し、特に第２ベース本体（５）がポンプ・シリンダー（１６）を有し、第１ベース本体（４）がポンプ・シリンダー（１６）の内部で偏位可能なポンプ・ピストン（１８）を有し、第２ベース本体（５）が媒体出口（１５）によって横切られている請求項２に記載のディスペンサー。
【請求項４】
第２停止部材（４４）が、放出ヘッドを有するとともに流れ方向に突出自在の硬質部（７）の内部で支持されており、圧力室（１２）が狭窄部とこの狭窄部に軸方向に連結された拡幅部とを有しており、第２停止部材が前記逆方向と共通方向に、かつ、拡幅部に向かって突出自在であり、特にシール部材（４１）が第１および第２停止部材（６３、４４）を包囲している請求項２または３に記載のディスペンサー。
【請求項５】
少なくとも一つのガイド本体（１７、５３）が、少なくとも一つのガイド本体（１７、５３）のを偏位可能に案内および支持する第１および第２停止部材（４４）の少なくとも一つの内部に配備されていて、特に少なくとも一つのガイド本体（１７、５３）が媒体スペースを区画しており、さらに、
制御本体、
弁の弁体、および
放出ポンプ（８）のポンプ・ピストン（１８）
の少なくとも一つを有している請求項２から４のいずれか１項に記載のディスペンサー。
【請求項６】
弁（１９）とこの弁（１９）を開放するための弁作動部（２０）とをさらに有し、弁作動部（２０）が弁を機械的に開放するためのドライバー（４９）を有し、弁（１９）が、
媒体貯蔵部（６）を通気する通気弁と、
媒体出口（１５）に媒体を通過させる出口弁と
の少なくとも一つを有している請求項１から５のいずれか１項に記載のディスペンサー。
【請求項７】
弁（１９）が、弁座に対して偏位可能な弁体と、ドライバー（４９）を備える第１スナップ部材（５１）を有するスナップ・カップリング（５０）とを有し、スナップ・カップリング（５０）が、弁体と共働で偏位可能な第２スナップ部材（５２）を有し、第１スナップ部材（５１）が弁（１９）を開放するために第２スナップ部材（５２）を把持し、特にドライバー（４９）が、実質上第１ベース本体（４）の外部に配備されていて、かつ、第２ベース本体（５）の内部に配備されている請求項６に記載のディスペンサー。
【請求項８】
ディスペンサー（１）を媒体貯蔵部に連結するための少なくとも二つの連結部材を有する集合ユニットをさらに有し、連結部材が：
媒体を媒体貯蔵部（６）から圧力室（１２）に送る上昇管（２４）と、
媒体貯蔵部（６）に抗して第１ディスペンサー・ユニット（２）に張力を加えるファスナー（２６）と、
圧力室（１２）を区画する領域部と、
のうち少なくとも二つを有し、特に上昇管（２４）がシール（２５）と領域部に連結する下流端を有する請求項１から７のいずれか１項に記載のディスペンサー。
【請求項９】
媒体を媒体貯蔵部（６）から圧力室（１２）に移送する上昇管（２４）をさらに有し、上昇管（２４）が入口ダクト（１１）を区画するとともに下流端を有し、ガイド突出部（２７）が前記逆方向と共通方向の入口ダクト（１１）内に突出し、特に第１ベース本体（４）が流れ方向を横切って方向付けられている通過壁（２２）を有し、少なくとも二つの連結部材が通過壁（２２）の実質上完全に上流に配備されるとともにディスペンサー（１）を媒体貯蔵部（６）に連結するために設けられている請求項１から８のいずれか１項に記載のディスペンサー。
【請求項１０】
貯蔵部ネックに抗してディスペンサーに張力を加える通過壁（２２）をさらに有し、通過壁が下流側を定めており、第１ベース本体（４）が、通過壁（２２）と、媒体スペースの外側で第２ベース本体（５）を実質上永久的にシール状態に係合する係合部材（３３）とを有し、係合部材（３３）が前記下流側に配備されている請求項１から９のいずれか１項に記載のディスペンサー。
【請求項１１】
圧力室（１２）を区画してシール面（６６）を有するジャケット突出部をさらに有しており、第１ベース本体（４）がそのシール面（６６）と摺動係合するスタンド・ジャケット（３２）を有している請求項１から１０のいずれか１項に記載のディスペンサー。
【請求項１２】
ハンドル（３６）を有する放出動作装置の動作キャップ（２８）をさらに有し、第２ベース本体（５）が動作キャップ（２８）とハンドル（３６）を有し、作動キャップ（２８）が第１ベース本体（４）を内方に受容するキャップ・ジャケット（３１）とキャップ端壁（２９）を有し、キャップ・ジャケット（３１）内で少なくとも二つのジャケット突出部がキャップ端壁（２９）から突出するとともに周面を有しており、少なくとも二つのジャケット突出部の周面とキャップ・ジャケット（３１）の周面とが第１ベース本体（４）上で案内されている請求項１から１１のいずれか１項に記載のディスペンサー。
【発明の詳細な説明】
【０００１】
【発明の技術分野および背景】
本発明は、例えば液体、のりのような粉状またはガス状媒体等の流動可能物または他の媒体を貯蔵し、媒体出口において搬送または放出してディスペンサーから分離することのできるディスペンサーに関する。このディスペンサーは使用者が片手で自由に携帯でき、同時に同じ手で、すなわち媒体を搬送する力を伴う片手で操作できる。
【０００２】
このディスペンサーは、例えば媒体貯蔵部からの媒体でその圧力室を再充填し、また戻りストローク上で媒体を吸引するように形成されている。さらにディスペンサーは、単一方向にのみ向けられた単一ポンプ・ストロークのみにより作動される単独使用ディスペンサーであり、開始直後にその加圧室に貯蔵され充満された媒体量を収容する。この媒体は単一ストロークにより、また圧力スペースからの一連の部分的なストロークによって計測され放出される。可動もしくは移動ユニット上で、圧力室ハウジングに媒体出口を設けることができる。
【０００３】
【発明の目的】
本発明の目的は公知の形態の欠点を排除することである。他の目的はディスペンサー・ユニットを傾斜させずに、流体をシール状態に、実質上なめらかな外面を有し、または高い機能的信頼性を備えるとともに、計測量が正確で可変であることを保証することである。
【０００４】
【発明の概要】
本発明によれば、収容された停止部材および（または）位置決め手段が、手動操作により流量または圧力補正弁を機械的に確実に制御し、要素を互いに組み合わせて、ディスペンサーを支持本体に連結および（または）圧力室から離して二つのディスペンサー・ユニットをシール状態に係合する集合ユニットとするためにストローク・パスを固定させ、または変化させるために設けられている。これによって、例えば各停止制限作動ストロークまたはストローク・パスの放出量を正確に規定ないし変えることができる。さらに、ディスペンサーは例えばボトルのような搬送装置に簡単に固定でき、一方異なるボトル形状に適用することが可能である。さらに、媒体オリフィスにおける媒体の残留分を、圧力室を脱気しつつ媒体放出端で出口弁の弁座後方でディスペンサーに吸引できる。なお、ほこりのような異物のディスペンサーへの侵入が簡単な手段によって阻止される。
【０００５】
ストローク・パスの設定は、ディスペンサーを手動操作するための作動キャップを形成する関連ベース本体に対して放出ヘッドを回転ないし軸方向に偏位させることによって実行される。これによってハンドルは位置決め手段の設定に関係なく第１ベース本体に対して同じ回転位置に常に保持できる。
【０００６】
流量弁が位置決め手段から別々に設けられるか、例えば位置決め部材の一つに可動弁体をシール状態に案内することによって連結される。この位置決め部材は弁体と共に、第２ベース本体ないし放出ヘッドに挿入されるべき組み立て済みユニットを提供する。第１ディスペンサー・ユニットは、機械的負荷ないし力の関数として排他的に結合および離脱を行ない、また、弁体を例えば開位置のような所望の弁位置に確実に移動するスナップ嵌合を介して弁体に結合される突出自在のドライバーを含む。その後この嵌合による結合が力の関数として再度解除され、弁要素がばね力によってその他の弁位置に復帰する。このようにして、空気は例えば媒体出口および出口ダクトを介して、ディスペンサーの戻りストロークの第１位置のみにあるときに圧力室外に流れることができる。
【０００７】
ディスペンサーは貯蔵部への連結のためのキャップのようなファスナー本体を備えている。このファスナーの内側から連結部材が突出している。これらの部材は貯蔵部へ突出自在の上昇管ないし吸入管と、シールと、貯蔵部および（または）圧力室を区画する本体と確実に係合するファスナー部材とを含んでいる。これらの部材の少なくとも二つからすべての部材が組み立て済みユニット、すなわち一つのユニットに形成されディスペンサーあるいは第１ベース本体に固定される。従って、このユニットを変えることにより、ディスペンサーは、多岐に亘る貯蔵部の形状、または種々の媒体の流量特性に適用できる。例えば、圧力室を区画するために、例えばシリンダ・ジャケットおよびプランジャが設けられ、各々がユニットに組み込まれている。しかし、この区画は他の媒体スペースおよび弁作動装置のドライバーないし結合部材を形成する必要がある個所にも区画することができる。
【０００８】
作動ユニットとして設けられた第２ディスペンサー・ユニットが、圧力室の外側に配備されたディスペンサーの内側スペースが周囲からシールされているようにして、摺動面のような周面等によって第１ディスペンサー・ユニットでシール状態に案内されている。このシールは、互いに半径方向に隔置された入れ子式シェル状突出部によって形成された多段分離環状域近傍に設けられている。これによって、休止位置ないし初期位置および（または）ストローク・パスに渡って互いにシールされた分離した入れ子式環状スペースが達成される。従って、最も外側のシェルが、この最も外側に配備された次の突出部を越えてほこりが侵入することなしに、カム等を案内するための窓式ポートを備えている。
【０００９】
加圧室のような媒体スペース、媒体出口、および中間で互いに隣接するすべての媒体スペースを脱気するための手段も設けられており、ディスペンサーの第１回目の操作の起動操作によりこれら媒体スペースを媒体で急速に充填することができる。説明したように弁操作は、出口弁を戻りストロークの一部のパスで開いた状態に維持するのに適しているので、出口弁を弁ばねに抗して開放した状態を維持する必要もなく圧縮空気を容易に上昇させることができる。各場合において放出された一定量の媒体の圧力を均等にするために媒体貯蔵部を通気することは、手動操作によって開閉するさらなる弁を介して達成できる。例えば、ディスペンサーの休止位置で閉し、またすべての他のストローク位置で開放することができる。従って、弁を介して通過する通気ダクトは媒体スペースを完全にバイパスする。
【００１０】
【図示例の説明】
本発明の実施例を次により詳しく説明し、図面に示す。
【００１１】
ディスペンサー１は、互いに相対的に直線的、かつ、軸方向に可動である第１および第２ディスペンサー・ユニット２、３を有する。各ユニットは一体になった第１ベース本体４、第２ベース本体５を有している。ディスペンサー１は搬送装置または媒体貯蔵部６に固定されるように工夫され、従って第１ディスペンサー・ユニット２または第１ベース本体４の要素を形成するとともに、後者と一体的に形成することもできる。
【００１２】
第２ディスペンサー・ユニット３の第２ベース本体５は、第２ベース本体５の一部であるがここでは別体の楕円形キャップ状要素である硬質部７（放出ヘッドともいう）を備えている。第１ベース本体４、第２ベース本体５内には放出ポンプ８（媒体ポンプともいう）、すなわち、媒体がその戻りストロークで媒体貯蔵部６から突然吸引され、作動ストロークで放出されるスラスト・ピストン・ポンプが完全に収容されている。休止位置から第１ディスペンサー・ユニット２、第２ディスペンサー・ユニット３がばね力に抗して作動ストロークを越えてストローク端まで手動操作で互いに相対的に移動され、これによってディスペンサー１が短くなる。取り上げた部品は中央のディスペンサーの軸９に配置されている。必要に応じて、戻しばねのようなばねを除いて、ディスペンサー１のすべての要素は、例えば射出成型要素のようなプラスチック材料で作ることができる。
【００１３】
停止または制御手段１０（位置決め手段ともいう）が対応するワーキイング・ストロークによって放出される媒体の量を正確に規定するとともに、これを変える働きをする。作動ストロークの端は停止制限され、放出される媒体の量はストローク・パスの長さを変えることによって変えられる。各ケースに応じた作動ストロークが、戻りストロークがまったくないか戻しばねが設けられていない場合、前回の作動ストロークの端に同方向に連結される。各作動ストロークの端において、ディスペンサー１も停止部材によって規定されたと同様にその休止位置に復帰し、次の作動ストロークを再作動することができる。制御手段１０は第２ディスペンサー・ユニット３に、または第２ベース本体５に完全に配置され、これによって第１ディスペンサー・ユニット２は制御手段１０の変化なしに容易に置換することができる。
【００１４】
軸９に対して対称的に第１ディスペンサー・ユニット２、第２ディスペンサー・ユニット３の内部を通る媒体経路ないし媒体スペースが、媒体貯蔵部６から媒体出口１５まで並置、延長されている。入口ダクト１１が第１ベース本体４から自由に、かつ、逆流方向に媒体貯蔵部６に突出している。入口ダクト１１は環状通路部を介して流量調節用の放出ポンプ８の環状の圧力室１２ないしポンプ室に通じている。この圧力室１２は流れ断面拡張部と流れ方向にこれに直結された軸方向部とを備え、軸方向部は連結ダクト１３として十分小さい流れ断面を有している。拡幅軸方向部が流れ方向に後者に近接配置され、ダクト閉封部材の近辺に狭窄軸方向部が流れ方向に出口ダクト１４に連絡されている。出口ダクト１４は、その下流端の媒体出口１５に形成された噴霧ノズルのノズル・ダクトによって専用に形成され、硬質部７の一部に区画され、その単一の端壁のみを通っている。従って、出口ダクト１４は極めて短い。長さは最高でもその最大幅の２ないし３倍である。
【００１５】
流量調節用の放出ポンプ８はポンプ・シリンダー１６（単にシリンダーともいう）とこのポンプ・シリンダー１６内をシーリング状態で変移可能なポンプ・ピストン１８（プランジャーともいう）を備えたガイド本体１７（ユニットともいう）とを備えている。ポンプ・シリンダー１６は一部で第２ベース本体５に強固に連結され、逆流方向に第１ベース本体４に自由に突出している。ピストンでもあるガイド本体１７がその一部で第１ベース本体４に連結され、これによってガイド本体１７が第２ベース本体５内に流れ方向に自由に突出している。ガイド本体１７はほんの単一端面近傍でポンプ・ピストン１８の上流で第１ベース本体４に固定され、軸方向に支持される。ガイド本体１７はさらに第１ベース本体４内に逆流方向に挿入された別体要素によって形成することもできる。
【００１６】
引用されたダクト閉封部材は出口用の弁１９によって形成され、バルブレスで延長している圧力室１２の弁座までの圧力の関数として開閉される。この弁座は硬質部７の引用された端壁の内面によって形成され、従って出口ダクト１４の内部端に設置される。圧力の関数としての弁の作用に加えて、弁作動部２０（作動手段ともいう）が、戻りストロークの起動時に弁１９を自動的に、すなわち確実に開放し、また戻りストロークの残りの部分でばね力によって弁を再度閉するために設けられている。この弁の開放中、空気が出口ダクト１４、媒体出口１５を介して圧力室１２、連結ダクト１３のスペースから開口部に排出される。一方ポンプ・ピストン１８は圧力室１２をぴったり密封したままである。こうして一旦圧力室１２から出口ダクト１４の媒体スペースが非圧縮媒体で完全に充填されると、弁が開くことで媒体を出口ダクト１４、媒体出口１５からディスペンサーに吸引する働きをする。この結果媒体の残留分と、対応する少量の空気が閉封部材としての弁１９の後方から圧力室１２に送られ、ダクトが完全に空になる。
【００１７】
第１ベース本体４が、通過壁２２（端壁ともいう）とジャケット２３を備えた締めつけフランジないしキャップ２１を形成しており、ここに媒体貯蔵部６の狭窄ネック部が軸方向に強固に配備され、張力が加えられる。上昇管２４が通過壁２２の内側から媒体貯蔵部６に逆流方向に自由に突出している。この上昇管２４はその入口開口部から通過壁２２まで入口ダクト１１の上流端部を一部区画している。上昇管２４は第１ベース本体４の一部としてもよく、あるいは別要素として流れ方向にキャップ２１に直線的に挿入し、かつ、流れ方向を越えて突出しない通過壁２２によって直接支持することもできる。通過壁２２の内部に環状円形のシール２５を近接させ、通過壁２２と、上昇管２４の一部となる媒体貯蔵部のネック部の端面との間に軸方向の張力を加える。
【００１８】
ジャッケト２３の内周縁に例えばねじ山、環状スナップ作用カム等のファスナー２６が、半径方向内方に突出して配備され、第１ベース本体４、媒体貯蔵部６との相互張力でカウンタ部材が媒体貯蔵部のネックの外周に軸方向に確実に係合され、ジャケット２３の両端から隔置されている。ファスナー２６は第１ベース本体４の一部であるが、上昇管２４またはシール２５の一部とすることもできる。上昇管２４、シール２５の外周は、ジャケット２３の内周に近接し、弾性スナップ−コネクターを介してこれに軸方向に強固に固定され、逆流方向に向けられたシェルを通過している。スナップ−カムがジャケット２３から、および（または）内部シェル（図示略）の外周から半径方向内側に突出し、各場合において対向する周面のスナップ留めに確実に係合している。この内部シェルにより、ディスペンサー１は媒体貯蔵部のネックにねじ留めでき、内部シェルなしにスナップ部材を備えた貯蔵部ネックがジャッケト２３のスナップ部材によって強固に係合されている。通過壁２２もシェル状のジャケット２３のない環状ディスク・フランジとすることができ、またはクリンプ・リングによって貯蔵部ネックに固定することができる。
【００１９】
コアまたはガイド突出部２７（ガイド本体ともいう）が通過壁２２の内側から逆流方向に突出自在であり、貯蔵部ネックの内側と入口ダクト１１に係合している。ガイド突出部２７の長さ方向に渡って貯蔵部ネックまたは入口ダクト１１は環状である。ガイド突出部２７は逆流方向に鋭角的に、円錐状にテーパが施され、また上昇管２４のジャケットは流れ方向にこの対応部分で同じ円錐角度でフレアが設けられている。これによって最も広い域とシール２５との間に流路が形成され、ここにシール２５が通るようになっている。これによって入口ダクト１１の流れ断面は流れ方向に、かつ、圧力室１２まで広げられている。上昇管２４、シール２５が、第１ベース本体４にスナップ−コネクターによって固定され軸方向にロックされる組み立て済みのユニット３０を形成する。ガイド本体１７はユニット３０に属することになる。
【００２０】
さらに、第２ベース本体５は第１ベース本体４の下流端を受容するための動作キャップ２８（単にキャップともいう）を形成する。この動作キャップ２８はキャップ端壁２９（単に端壁ともいう）とここから逆流方向に排他的に突出自在のキャップ・ジャケット３１（シェルともいう）を有する。キャップ・ジャケット３１内に第１ベース本体４が摺り嵌めで永久的に係合されている。通過壁２２から流れ方向に排他的に互いに間隔を置いて三つのジャケット突出部であるスタンド・ジャケット３２（シェルともいう）、係合部材３３（シェルともいう）、シェル３４が突出され、同心状に入れ子式に配備されている。スリーブ状のスタンド・ジャケット３２〜シェル３４が第１ベース本体４の一部になっている。
【００２１】
キャップ端壁２９から逆流方向に排他的に三つのジャケット突出部すなわちスリーブ状シェルが突出し、同じく互いに間隔を置いて同心状に入れ子式に配備されている。最も内側のシェルがポンプ・シリンダー１６のジャケットによって形成され、また最も外側のシェルがキャップ・ジャケット３１によって形成されている。ジャケット突出部３５（シェルともいう）はポンプ・シリンダー１６とキャップ・ジャケット３１の間に配備されている。ポンプ・シリンダー１６、キャップ・ジャケット３１、ジャケット突出部３５はすべて第２ベース本体５の一部になっている。スタンド・ジャケット３２〜シェル３４のうち軸方向に最も突出しているのが中央の係合部材３３であり、一番突出が少ないのが最も外側のシェル３４である。シェル３４がシェル状のジャケット２３と同じ外側および内側幅を有している。流れ方向にのみキャップ端壁２９から等距離に二つの突出部すなわちスリーブ状のジャケット３７、３８が互いに半径方向、同心状にポンプ・シリンダー１６、キャップ・ジャケット３１からジャケット突出部３５よりも短く、第２ベース本体５の一部から入れ子式に突出している。シェルでもあるジャケット３７はジャケット突出部３５と面一、またシェルでもあるジャケット３８はスタンド・ジャケット３２またはポンプ・シリンダー１６と面一である。キャップ端壁２９がキャップ・ジャケット３１を越えて半径方向外方に突出、すなわちキャップ・ジャケット３１まで延びている。キャップ端壁２９がその外側で、またジャケット３７からシェル３９、シール部材４１から第２設定部材４３（設定手段ともいう）および第１停止部材６３（マンドレルともいう）の周りに指圧用のハンドル３６を形成している。
【００２２】
硬質部７の上流端が、キャップ端壁２９と永久的に係合し、かつ、硬質部７の遠隔端壁と連結した一部になっている円筒状内周と外周を有するシェル３９を形成している。案内手段ないしシール手段４０を介して第１ベース本体４、第２ベース本体５、放出ヘッド７が相互的に可動に係合しており、これによって入口ダクト１１または媒体出口１５を介する以外に空気は圧力室１２、連結ダクト１３の媒体スペースに流入しない。ダクトを介する代わりに入口ダクト１１から媒体出口１５のスペースへの媒体の完全なバイパスで、大気中の空気が第１ベース本体４、第２ベース本体５を介して一定量の媒体貯蔵部６に流れることができる。
【００２３】
第２ベース本体５と硬質部７間にスリーブ状の弾性的なシール部材４１が半径方向に予め張力が加えられている。シール部材４１がジャケット３８の外周とシェル３９のなめらかな内周とシール状態に接触している。円筒状のシェルとしてのシール部材４１の内外幅は全長を通して一定である。摩擦ドラグが形成さるので、硬質部７は、ドラグ力に打ち勝ったときにのみ軸の回りで第２ベース本体５と相対的に回転可能である。硬質部７は軸９に配備されたノズル開口部である媒体出口１５に向かって鋭角で円錐状にくびれている。硬質部７は身体の開口部、すなわち鼻腔への挿入、または医学的な治療剤を開いた眼内に注入するのに適している。これは放出用の媒体出口１５を上下逆にして下方向に向けてディスペンサー１を使用する必要がある。
【００２４】
放出に関係なく、アクチュエータ用の制御手段１０は、軸９と相互的に連続して偏位可能に平行となるようにして相互連結される二つの位置決め用の第１設定部材４２（単に部材ともいう）、第２設定部材４３を備えている。第１、第２設定部材４２、４３は軸９の回りを相互的に回転可能である。第１設定部材４２はポンプ・シリンダー１６上でピストンの摺動に対して僅かに広くなっている。第１設定部材４２はジャケット３８の内周によって形成され、従って第２ベース本体５に軸方向に強固に固定されている。第２設定部材４３は硬質部７またはシェル３９から別れて本体によって形成されている。第２設定部材４３は軸方向に、かつ、軸９の回りにシェル３９に強固に連結されている。第２設定部材４３、シェル３９は一つの部材とすることもできる。第１、第２設定部材４２、４３は傾斜面によって直接に互いにかみ合っている。例えば３ないし１ミリメートルより小さいピッチを有する細めねじで螺合されている。従って、硬質部７の回転運動が第２ベース本体５に関して軸方向に偏位されている。
【００２５】
第１ディスペンサー・ユニット２、第１ベース本体４はガイド本体１７の下流端近傍で環状のストローク停止部４７を形成し、これに環状のカウンタ停止部４８が放出ヘッド７または部材４３上にて係合する。ストローク停止部４７、カウンタ停止部４８のショルダー面が互いに当接することにより、作動ストロークの最大ストローク・パスないし長さが決定される。ストローク停止部４７、カウンタ停止部４８の面は軸９または排他的に第２ベース本体５、第２設定部材４３内に、かつ、キャップ端壁２９の下流に永久的に配備されている。制御手段１０は、ストローク・パスが延長された位置と短縮された位置との中間位置で示される。ストローク停止部４７、カウンタ停止部４８の面は圧力室１２に、すなわち狭窄した連結ダクト１３の下流に直に連絡され、また幅の広くなったダクト部に配備されている。ストローク停止部４７、カウンタ停止部４８の面は、休止位置にあるときに、制御手段１０を位置決めすることによって相互的に軸方向に調節可能である。単一使用ディスペンサーにおいて、荒いピッチねじまたは段付き連結リンクを細めねじの代わりに設けることができる。
【００２６】
第２設定部材４３が幅広環状の第２停止部材４４（カラーともいう）にそのねじの下流端で通っている。第２停止部材４４はシェル３９の内周に強固に係合している。従って、突出部ないしスリーブ４５がスリーブ状の第２設定部材４３の上流端から突出自在に設置されている。スリーブ４５がキャップ端壁２９を通り、ポンプ・ピストン１８に向かってポンプ・シリンダー１６のシェル内に延長している。スリーブ４５の端面がポンプ・ピストン１８の端面に永久的に直接対向しているが、ストローク端でポンプ・ピストン１８に当接していない。スリーブ状の第２設定部材４３、スリーブ４５の内周面はカウンタ停止部４８までずっと一定で、連結ダクト１３を区画している。シェルであるスリーブ４５の外周面は近接ねじ山の幅より狭く、かつポンプ・シリンダー１６の内周とシール状態に係合し、一方シリンダー中で軸方向に移動、回転可能、すなわちその中でポンプ・ピストン１８が走行する。調整ねじのねじ目は迷路式シールでシールすることができる。さらに、シェル３９の停止用の第２停止部材４４の係合がシールされる。
【００２７】
流れ方向において、スリーブ状の第２設定部材４３、スリーブ４５と同様に、その外幅より長いシェル３９のテーパ部と接触することなくスリーブ４６の突出部が第２停止部材４４から突出している。第２設定部材４３、第２停止部材４４、スリーブ４５、４６は軸方向に強固に相互連結されるか、一つの部材になっている。スリーブ４６の外周上に軸方向リブ等がスリーブ４６を半径方向に張力を加え、中央付けをするためにシェル３９の内周上に等間隔に配備することができる。
【００２８】
弁１９を簡単に開き、また自動的に閉じるために、従属作動装置ないしドライバー４９が第２ベース本体５、ガイド本体１７に設けられ、ガイド本体１７の下流端によって形成されている。ドライバー４９は、第２設定部材４３からスリーブ４６内に永久的、完全に配備されている。第１ディスペンサー・ユニット２、第２ディスペンサー・ユニット３の初期位置において、ドライバー４９は拡幅の室部内でコア本体になっており、中央で形成され、かつ、環状に区画されている。ドライバー４９はドライブないしスナップ・カップリング５０の反フック式の第１スナップ部材５１を有している。その第２カップリングないし第２スナップ部材５２が弁１９の軸方向往復運動可能なガイド本体５３（弁体ともいう）に備えられている。
【００２９】
ガイド本体５３は互いに軸方向に隔置された反対方向に突出自在に設けられ、環状である二つのシールないしピストン用のリップ５４、５５を備えている。上流側のリップ５４がスリーブ４６の内周面上に永久的にシールするように摺動し、下流側のリップ５５がシェル３９の内周上に永久的にシールするように摺動する。リップ５５の端壁が停止部を形成し、ここに弁開口部においてスリーブ４６の端面に直面し、これによって弁１９の最大開口動程が規定される。
【００３０】
ガイド本体５３の上流端はリップ５４、５５からドライバー４９に向かう逆流方向上流に突出自在のスリーブ状フィンガーないしマンドレル５６を備えている。従って、後者が第２スナップ部材５２に永久的に直接対向することになる。第２スナップ部材５２が環状カムとしてマンドレル５６のフィンガーの内周面を越えて半径方向内側に突出し、これが弾性的に広げられる。第２スナップ部材５２が第２設定部材４３、スリーブ４６の端壁近傍に直接配置される。この壁の上流端面が第２スナップ部材５２から離れて対面し、第２停止部材４４内にカウンタ停止部４８を形成し、壁がくびれた経路ポートによって横切られている。ドライバー４９は、寸法的に強固な第１スナップ部材５１が最初に第２スナップ部材５２と係合し、その後、ストローク停止部４７、カウンタ停止部４８の面が弁のような圧力室１２の上流部の出口を閉じるまで、摺り嵌めでポンピング・ストロークにあるこのポートへ、またこれを介して移動する。これで、弁１９は瞬時に閉じる。
【００３１】
戻りストロークの開始時に、ドライバー用の第１スナップ部材５１が第２スナップ部材５２に対して短いアイドル走行を実行させ、すぐに第２スナップ部材５２に抗して当接し、ガイド本体５３を逆流方向にし、これによって弁１９を当接するまで開放する。これに連結され、戻りストロークの少し進行した後、第１スナップ部材５１が軸方向戻し力によって第２スナップ部材５２が引き離される。これによって第２スナップ部材５２が弾性的に拡張される。第１スナップ部材５１によって解放されると、ガイド本体５３が流れ方向にばね５８によって戻され、これによって弁１９が閉鎖する。
【００３２】
第１ディスペンサー・ユニット２、第２ディスペンサー・ユニット３のための戻し力はコイルばねないし圧縮ばねのようなばね５９によってもたらされるが、このばねは入口ダクト１１の媒体スペースから媒体出口１５から完全に離れて配置され、キャップ・ジャケット３１、ジャケット突出部３５間だけでなく係合部材３３、シェル３４間で係合し、これによってその端部は通過壁２２、キャップ端壁２９に抗して直接支持される。コイルばねないし圧縮されたばね５８が軸方向にスロット付きのマンドレル５６と第２スナップ部材５２に巻かれている。ばね５８は第２設定部材４３からスリーブ４６の内端壁上の一端に支持され永久的に予荷重が加えられ、他端はリップ５４内にある。ばね５８が第２スナップ部材５２、マンドレル５６の過度に広げられるのを保護している。
【００３３】
リップ５５の下流において、ガイド本体５３はリップ５５より細いマンドレルを含み、シェル３９内に流れ方向に突出自在に設けられ、かつ、弁１９の可動な閉止面を形成する細いマンドレル５７ないし端部にその端部が通過している。この環状閉止面はシリンダー状周面とマンドレル５７の平坦な端面によって鋭角エッジで側面が形成されている。閉止位置において、排他的に直線状に可動な閉止面が硬質部７の端壁の内面によって形成された弁座と接触している。
【００３４】
リップ５４からマンドレル５７の領域が互いに軸方向に、かつ、一部がガイド本体５３に強固に連結されている。媒体の流路がリップ５５の内部までガイド本体５３を軸方向に通過し、リップ５５の内部に半径方向に現れている。この経路はここからさらにガイド本体５３の下流フィンガーの外周に沿って弁座に案内されている。流路のこの領域は下流フィンガーの外周と、シェル３９の内周とによって区画されている。弁座の上流のすぐ近くに旋回翼ないしうず巻き手段がポートに向かって、下流フィンガーと硬質部７の端壁の内側とによって区画された中央うず室に半径方向内側に向けられた案内経路を提供している。この旋回翼によって媒体が最終的に排出用の媒体出口１５で細かく霧化される。片手で硬質部７を握り締めて制御手段１０を調節するには、ドライバー４９は回転させないで、硬質部７、第２設定部材４３、ガイド本体５３、マンドレル５７を共回りさせる。
【００３５】
軸方向の分離に対して、また回転に抗して第１ディスペンサー・ユニット２、第２ディスペンサー・ユニット３または第１ベース本体４、第２ベース本体５を相互的ロックするために、ロック手段６０が設けられている。そのロック部材はシェル状のジャケット２３、シェル３４またはキャップ・ジャケット３１に直接配備される。これによって媒体貯蔵部６に対する第２ディスペンサー・ユニット３の回転方向は、常に同じである。さらに第２ディスペンサー・ユニット３を第１ディスペンサー・ユニット２から流れ方向への抜け落ちがこのロック手段６０だけで確実に阻止される。硬質部７の第１ディスペンサー・ユニット２、第２ディスペンサー・ユニット３からの対応する抜け落ちは近接するねじ等だけで確実に阻止される。従って、硬質部７は例えば媒体貯蔵部６を媒体で充填するためにポンプ・シリンダー１６からねじをはずして第２ディスペンサー・ユニット３から損傷なしに完全に除去することができる。しかし、この離脱を阻止するために硬質部７が端部停止部材によってロックすることもできる。
【００３６】
ポンプ・ピストン１８は流れ方向に突出自在であり、かつ、ポンプ・シリンダー１６の内周をシール状態で走行する単一の環状のピストン・リップ６２を有している。休止位置において、ピストン・リップ６２は内周面との接触を離れて持ち上げられる。なぜなら後者がその端部で鋭角で円錐状に広がっており、流れ方向に逆向きになっているからである。ピストン・リップ６２を越えて流れ方向にガイド本体１７の円筒状の第１停止部材６３が突出自在に設けられている。第１停止部材６３はその外周面で圧力室１２、連結ダクト１３の媒体スペースを区画しており、その下流端では細くなったドライバー４９を担っている。ドライバー４９は、同様のマンドレル部によって第１停止部材６３のストローク停止部４７の端面から突出自在に設けられている。その端部で幅の広くなった鋭角の円錐ヘッドが結合用の第１スナップ部材５１を備えている。ポンプ・ピストン１８、ガイド突出部２７、第２設定部材４３、第１停止部材６３、ドライバー４９、第１スナップ部材５１が互いに軸方向に強固に連結され、一つの部材になっている。ポンプ・ピストン１８とガイド突出部２７間の変移において、ガイド本体１７が通過壁２２の内側の平面に配備されたリング状肩を形成し、入口ダクト１１の環状部分の拡幅端に部分的に収束している。従って、狭窄部ないしスロットル点が形成されている。この点において、上昇管２４が流れ方向に鋭角に広がった煙突端を形成している。端部６１に関して、ガイド本体１７は接触しなくてもよい。ポンプ・ピストン１８の上流端も、その周面の回りに分布されたスナップ部材によって第１ベース本体４、通過壁２２、上昇管２４、シール２５、スタンド・ジャケット３２の少なくとも一つに固定されている。これによってポンプ・ピストン１８はスタンド・ジャケット３２により一体とすることができる。
【００３７】
リング状のピストン・リップ６２とポンプ・シリンダー１６の内周によって入口弁６４が形成され、ここに初期位置が開放され、作動ストロークの第１部がピストン・リップ６２によって閉された後、ポンプ・シリンダー１６の円錐部に抗して走行する。この弁座近傍上流でポンプ・ピストン１８とスタンド・ジャケット３２によって環状の予吸入用の室６５が区画されている。スタンド・ジャケット３２と同様に、始動のための室６５が入口ダクト１１の壁を横切り、上流で入口ダクト１１の環状端に直接連結されている。入口弁６４の閉止時に、作動ストロークが圧力室１２内の媒体をリップ５５内の制御スペースまで圧縮する。従って、一旦制限圧力を超えると、ガイド本体５３がばね５８を抗して偏位し、機械的にまたは手動操作される弁としてのストローク停止部４７、カウンタ停止部４８がストロークの端で閉止するまで、媒体が開放された弁１９を介して放出される。
【００３８】
ポンプ・シリンダー１６のシェルの自由端が、逆流方向に突出自在に設けられるとともに、スタンド・ジャケット３２の内周上を摺動し室６５をその内周によって区画する環状ピストンまたはシール・リップのシール面６６を形成する。リップのシール面６６がピストン・リップ６２の上流に永久的に配備されている。リップ５４、５５、ピストン・リップ６２、シール面６６のシール圧縮または拡張が、入口ダクト１１から出口ダクト１４の媒体スペース内で媒体圧力を増大させるように大きくなり、これによって流体密が保証される。リップのシール面６６はポンプ・シリンダー１６のシェルの一部である。等価シール・リップが、係合部材３３の内周上のシール・ガイドのためにジャケット突出部３５によってもたらされる。シェル３４、キャップ・ジャケット３１と同様に、係合部材３３、ジャケット突出部３５も永久的に互いに重なり合っている。
【００３９】
空気も係合部材３３とジャケット突出部３５間からスタンド・ジャケット３２と係合部材３３間の環状スペースに供給され、またここから通過壁２２を介して媒体貯蔵部６に送られる。これによって休止位置において、係合部材３３、ジャケット突出部３５がこの通気路のための密封部材を形成する。この密閉部材は休止位置においてのみ閉止され、また他のすべてのストローク位置で開放する弁となる。これによって一つの弁体が係合部材３３の一部となり、また他の弁体がジャケット突出部３５の一部となる。作動ストロークにおいて、ポンプ・シリンダー１６、スタンド・ジャケット３２、係合部材３３、ジャケット突出部３５の間の環状スペース中の圧力が僅かに高くなり、結果としてポンプ作用が生じる。
【００４０】
シェル状のジャケット２３、シェル３４または通過壁２２の外周で、第１ベース本体４が少なくとも一つの半径方向に突出したカム６７を有している。第２ベース本体５はキャップ・ジャケット３１内にキャップ端壁２９から動作キャップ２８のオープン・キャップ端の近傍まで円周方向に延長し、スロットとしてキャップ端壁２９を通過して配備された開口部ないし窓６８を備えている。カム６７の一つが各ポートとしての窓６８と係合し、従って、第１ベース本体４、第２ベース本体５を相互連結するために相互的に偏位可能なスナップ部材としてのカム６７、窓６８と弾性的スナップ結合を形成している。このスナップ結合は、カム６７が戻りストロークの端で窓６８の上流の区画に抗して当接しているので同時にロック手段６０を形成している。カム６７は軸９に対して静止しており、集合状態で第２ベース本体５のキャップ端に抗して走行する傾斜肩部を有していて、これによりカムがポートとしての窓６８に正しく嵌合する前にキャップ・ジャケット３１を弾性的に拡幅する。第２ベース本体５から硬質部７、ポンプ・シリンダー１６からポンプ・ピストン１８、キャップ２１から上昇管２４、ファスナー２６からキャップ端壁２９、キャップ・ジャケット３１からシェル３９、第１設定部材４２からドライバー４９、ガイド本体５３、マンドレル５６、マンドレル５７、端部６１、第１停止部材６３およびカム６７は本質的ないし寸法的に正確である。硬質部７は少なくともその外径に等しいか、またはその倍数だけ長い長さでキャップ端壁２９を越えて突出している。
【００４１】
シール部材４１はジャケット３７、３８の突出部の自由端面と面一に終っている。媒体貯蔵部６から排出される空気を無菌にする必要があれば、フィルター手段または殺菌手段が排気経路に、またはスタンド・ジャケット３２と係合部材３３間の環状スペースに強固に配備される。例えば、平坦ディスクまたはリング状殺菌フィルターがスタンド・ジャケット３２、係合部材３３に近接して通過壁２２の外側に抗してその端面に半径方向に張力が加えられるようにして支持することができる。シール２５だけでなくスタンド・ジャケット３２の外側への結合部における通過壁２２が、通気開口部によって横切られており、端部６１に沿って貯蔵部スペースに続いている。
【００４２】
引用されたすべての特徴、特性および効果は正確に、または実質的ないし概略的に説明でき、また放出されるべき媒体に依存してこれらから大きく離れることもある。互いに一つの部材として説明した部分的な諸要素は、別の諸要素としても形成ないし、例えば溶接、スナップ結合または同様の方法で部材を連結することによってその相互的変化域または連結ゾーンで互いに連結してもよい。位置決め部材の説明も停止部材に適用でき、またこの逆も可能である。放出装置は、例えば５μｌの微少な放出量でさえも正確に放出するのに使用できる。
【００４３】
米国特許第４，６９４，９７７号および米国特許願第０８／６２８，６０３号（１９９６年４月１１日出願）、同０８／８０２，１５５号（１９９７年２月１９日出願）、同０８／８１６，５８１号（１９９７年３月１３日出願）および同０８／８８７，０２３号（１９９７年７月２日出願）が参照でき、これらの特徴と効果を本発明に含める。ディスペンサー１の媒体貯蔵部６は単一貯蔵ポートのみ、すなわち挿入用の第１ディスペンサー・ユニット２用の貯蔵部ポートのみを含みドラグ・ピストンを有しないが、ディスペンサー１は、上昇管２４を省略するだけで簡単に上下逆にした操作に変更できる。従って、この上下逆の位置において、通過壁２２を介する媒体貯蔵部からの媒体は直接室６５に流れる。これは例えば媒体を患者の頭を後方に傾けて目または鼻腔に注入するときに役立つ。この場合、ディスペンサー１は媒体貯蔵部６に突出せず、すなわち、ラグとしてのガイド突出部２７のみを必要とするだけである。
【図面の簡単な説明】
【図１】 本発明に基づくディスペンサーを、一部側面で、一部軸方向断面で、放出アクチュエータの休止位置と設定手段の中間位置で示す図。
【図２】 図１のディスペンサーを拡大して示した戻りストロークの開始直後の断面図。
【符号の説明】
１  ディスペンサー
２  第１ディスペンサー・ユニット
３  第２ディスペンサー・ユニット
４  第１ベース本体
５  第２ベース本体
６  媒体貯蔵部
７  硬質部
８  放出ポンプ
９  軸
１０  制御手段
１１  入口ダクト
１２  圧力室
１３  連結ダクト
１４  出口ダクト
１５  媒体出口
１６  ポンプ・シリンダー
１７  ガイド本体
１８  ポンプ・ピストン
１９  弁
２０  弁作動部
２１  キャップ
２２  通過壁
２３  ジャケット
２４  上昇管
２５  シール
２６  ファスナー
２７  ガイド突出部
２８  動作キャップ
２９  キャップ端壁
３０  ユニット
３１  キャップ・ジャケット
３２  スタンド・ジャケット
３３  係合部材
３４  シェル
３５  ジャケット突出部
３６  ハンドル
３７、３８  ジャケット
３９  シェル
４０  シール手段
４１  シール部材
４２、４３  第１、第２設定部材
４４  第２停止部材
４５  スリーブ
４６  スリーブ
４７  ストローク停止部
４８  カウンタ停止部
４９  ドライバー
５０  スナップ・カップリング
５１  第１スナップ部材
５２  第２スナップ部材
５３  ガイド本体
５４、５５  リップ
５６  マンドレル
５７  マンドレル
５８、５９  ばね
６０  ロック手段
６１  端部
６２  ピストン・リップ
６３  第１停止部材
６４  入口弁
６５  室
６６  シール面
６７  カム
６８  窓
【図１】
0004327277.tif 000002
【図２】
0004327277.tif 000003